Podtech/llm-jp-corpus-v4-ja_patent huggingface dataset:
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
電動送風機及び集塵室を有する掃除機本体と、該掃除機本体に接続されるホースと、前記ホースに接続され、前記電動送風機の運転を切り替えるためのスイッチ部を有するホース手元操作部と、該ホース手元操作部に接続された延長管と、該延長管に接続された吸口体と、電気掃除機に関する機器の動作、あるいは異常状態を報知する報知手段とを備えた電気掃除機において、
前記電動送風機が停止中に前記スイッチ部が操作された状態でも前記電動送風機の運転が開始されないスイッチが設けられ、該スイッチを操作することにより、前記報知手段の報知内容を切り替えるようにしたことを特徴とした電気掃除機。
【請求項２】
請求項１において、
前記スイッチは、電動送風機の運転を停止させる切スイッチであることを特徴とする電気掃除機。
【請求項３】
電動送風機及び集塵室を有する掃除機本体と、該掃除機本体に接続されるホースと、前記ホースに接続され、前記電動送風機の運転を切り替えるためのスイッチ部を有するホース手元操作部と、該ホース手元操作部に接続された延長管と、該延長管に接続された吸口体と、該吸口体内に配置された回転清掃体を駆動する電動機と、電気掃除機に関する機器の動作、あるいは異常状態を報知する報知手段とを備えた電気掃除機において、
前記スイッチ部には、前記吸口体の電動機の運転状態を入り切りするパワーブラシスイッチが設けられ、該パワーブラシスイッチを操作することにより、前記報知手段の報知内容を切り替えるようにしたことを特徴とした電気掃除機。
【請求項４】
請求項３において、
前記パワーブラシスイッチは、前記電動送風機が停止した状態で操作された時に、報知内容を切り替えるようにしたことを特徴とした電気掃除機。
【請求項５】
請求項１乃至４の何れかにおいて、
前記報知手段はブザー音とし、該ブザー音の周波数を８８０〜２２００Ｈｚにしたことを特徴とした電気掃除機。
【請求項６】
電動送風機及び集塵室を有する掃除機本体と、該掃除機本体に接続されるホースと、前記ホースに接続され、前記電動送風機の運転を切り替えるためのスイッチ部を有するホース手元操作部と、該ホース手元操作部に接続された延長管と、該延長管に接続された吸口体と、電気掃除機に関する機器の動作、あるいは異常状態を報知する報知手段とを備えた電気掃除機において、
前記スイッチ部は、前記電動送風機の動作の開始を受け付ける第１のスイッチと、前記電動送風機の動作の停止を受け付ける第２のスイッチとを含み、
前記電動送風機の動作の停止中に前記第２のスイッチが一定時間以上長く押下された場合に、前記電動送風機の動作の停止とは異なる動作を当該電気掃除機に実施させると共に、前記報知手段により報知することを特徴とした電気掃除機。
【請求項７】
請求項６において、
前記電動送風機の動作の停止とは異なる動作は、当該電気掃除機の設定情報の変更であることを特徴とした電気掃除機。
【請求項８】
請求項６または７において、さらに、
前記集塵室に装着されたフィルタに対して除塵動作を行う除塵装置を備えることを特徴とした電気掃除機。
【請求項９】
電動送風機及び集塵室を有する掃除機本体と、該掃除機本体に接続されるホースと、前記ホースに接続され、前記電動送風機の運転を切り替えるためのスイッチ部を有するホース手元操作部と、該ホース手元操作部に接続された延長管と、該延長管に接続された吸口体と、電気掃除機に関する機器の動作、あるいは異常状態を報知する報知手段とを備えた電気掃除機において、
前記スイッチ部は、前記電動送風機の動作の開始を受け付ける第１のスイッチと、前記電動送風機の動作の停止を受け付ける第２のスイッチと、前記吸口体に内蔵される電動機を動作／停止する第３のスイッチとを含み、
前記電動送風機の動作の停止中に前記第３のスイッチが一定時間以上長く押下された場合に、前記電動送風機の動作の停止とは異なる動作を当該電気掃除機に実施させると共に、前記報知手段により報知することを特徴とした電気掃除機。
【請求項１０】
請求項９において、
前記電動送風機の動作の停止とは異なる動作は、当該電気掃除機の設定情報の変更であることを特徴とした電気掃除機。
【請求項１１】
請求項９または１０において、さらに、
前記集塵室に装着されたフィルタに対して除塵動作を行う除塵装置を備えることを特徴とした電気掃除機。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
先端側に穿刺部が形成され前記穿刺部よりも後部側の部分に係合部が形成された穿刺針における前記穿刺部を被覆するための針先保護具であって、
内部に前記穿刺部を収容でき、後端部が、前記穿刺針における前記穿刺部よりも後部側部分は挿通させることができるが、前記係合部に係合することにより前記穿刺部は挿通させることのできない係合開口部で構成され、前端部が前記穿刺針を挿通させることのできる大径開口部で構成された針先保護筒と、
後壁部に、前記針先保護筒における大径開口部以外の部分を挿通させて外部に突出させることのできる係合穴が設けられ、前記係合穴を介して前記針先保護筒を内部から外部に進退可能にして支持する保護具本体とを備えたことを特徴とする針先保護具。
【請求項２】
前記穿刺針における前記穿刺部の後端部よりも後部側の部分を細くすることにより前記係合部を形成し、前記穿刺針における前記穿刺部よりも後部側部分は挿通させることができるが、前記穿刺部は挿通させることのできない細径開口部で前記係合開口部を構成した請求項１に記載の針先保護具。
【請求項３】
前記穿刺針における前記穿刺部の後端部よりも後部側の部分に突起を形成することにより前記係合部を形成し、前記穿刺針における前記穿刺部よりも後部側部分は挿通させることができるが、前記穿刺部は挿通させることのできない細径開口部で前記係合開口部を構成した請求項１に記載の針先保護具。
【請求項４】
前記保護具本体内に、前記係合穴に同軸的に連通して前記針先保護筒を挿通させることのできる係止穴を備えた係止部材と、前記係止部材の係止穴と前記係合穴との位置が連通状態からずれるように前記係止部材を所定の方向に付勢する付勢部材とを設け、前記針先保護筒を前記係止穴に通した状態で前記保護具本体内に位置させるとともに、前記針先保護筒内に設置された前記穿刺針の穿刺部を前記針先保護筒の大径開口部側に位置させた状態で、前記穿刺針を前記保護具本体から後退させると、前記穿刺部が前記針先保護筒の係合開口部に係合して、前記針先保護筒を前記保護具本体の係合穴から外部に突出させるとともに前記係止穴から抜き出し、これによって前記係止部材が前記係合穴を塞ぐ位置に移動して前記穿刺部が前記保護具本体内に進入することを防止するようにした請求項１ないし３のうちのいずれか一つに記載の針先保護具。
【請求項５】
前記穿刺針が、内腔を備えたカニューレと、前記カニューレの基端部に連結され、内部に前記カニューレの内腔に連通する空間部が設けられ外部に被係合部が形成されたハウジングとからなる外針の内部に挿入されて前記カニューレの先端部とともに穿刺されるものであり、前記係止部材に、前記針先保護筒が前記係止穴内に位置して前記係合穴と前記係止穴とが同軸的に連通しているときに前記被係合部に係合し、前記針先保護筒が前記係止穴から抜き出されて前記係合穴と前記係止穴との位置が連通状態からずれたときには、前記被係合部との係合が解除される係合片を設けた請求項４に記載の針先保護具。
【手続補正２】
【補正対象書類名】明細書
【補正対象項目名】００１０
【補正方法】変更
【補正の内容】
【００１０】
また、本発明に係る針先保護具の他の構成上の特徴は、穿刺針における穿刺部の後端部よりも後部側の部分を細くすることにより係合部を形成し、穿刺針における穿刺部よりも後部側部分は挿通させることができるが、穿刺部は挿通させることのできない細径開口部で係合開口部を構成したことにある。これによると、単純な構造で、確実に穿刺針の係合部に係合できる針先保護具を得ることができる。また、穿刺針における穿刺部の後端部よりも後部側の部分に突起を形成することにより係合部を形成し、穿刺針における穿刺部よりも後部側部分は挿通させることができるが、穿刺部は挿通させることのできない細径開口部で係合開口部を構成してもよい。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
遊技機であって、
マトリックス状に配置された複数画素を有し、遊技中に所定の画像を表示する演出表示を行うための表示パネルと、
前記遊技の状況に応じて前記表示パネルへの前記演出表示を行う演出制御部とを有し、
前記演出制御部は、
各表示パネルに表示するキャラクターを表すとともに、その余白部分が該キャラクターの近似色に着色されたキャラクタデータを、非可逆圧縮して記憶するキャラクタデータ記憶部と、
前記キャラクタデータ記憶部から、前記キャラクタデータを読み出して伸張するデータ伸張部と、
前記キャラクタデータと対に設けられ、前記伸張の際に前記キャラクターの輪郭にノイズが生じない状態で表示されるべき当該キャラクターと当該キャラクター以外の余白部分とを識別するための領域識別データを記憶する領域識別データ記憶部と、
前記領域識別データに従って、前記キャラクター以外の余白部分を一定色に置換することによって、前記伸張の際に前記キャラクターの輪郭に生じるノイズを低減するノイズ低減処理を施すノイズ低減部と、
前記ノイズ低減処理が施されたキャラクタデータを用いて、前記演出表示用の表示データを生成する表示データ生成部とを備える遊技機。
【請求項２】
請求項１記載の遊技機であって、
前記非可逆圧縮は、前記キャラクタデータを空間周波数が所定値以上の高周波成分を除去する過程を伴う圧縮方法である遊技機。
【請求項３】
請求項１または２記載の遊技機であって、
前記領域識別データは、前記非可逆圧縮前のキャラクタデータにおける前記キャラクターの輪郭線を基準として、前記識別を行うためのデータである遊技機。
【手続補正２】
【補正対象書類名】明細書
【補正対象項目名】００１０
【補正方法】変更
【補正の内容】
【００１０】
ノイズ低減部は、伸張によってキャラクターの輪郭に生じるノイズを低減するノイズ低減処理を施し、表示データ生成部は、このノイズ低減処理が施されたキャラクタデータを用いて、演出表示用の表示データを生成する。この処理は、輪郭のみに選択的に施すようにしてもよいし、キャラクタデータ全体に施すようにしてもよい。
【手続補正３】
【補正対象書類名】明細書
【補正対象項目名】００１１
【補正方法】変更
【補正の内容】
【００１１】
ノイズ低減処理には、領域識別データを用いる。領域識別データとは、キャラクタデータと対に設けられ、ノイズがない状態で表示されるべきキャラクターを、その余白部分から識別するためのデータである（換言すると、領域識別データとは、キャラクタデータと対に設けられ、伸張の際にキャラクターの輪郭にノイズが生じない状態で表示されるべきキャラクターと、このキャラクター以外の余白部分と、を識別するためのデータである）。例えば、非可逆圧縮する前のキャラクタデータに基づき、画素ごとにキャラクター内部か余白部分かを示すフラグを設定すればよい。領域識別データは、キャラクターの輪郭等を表すベクトルデータを用いて構成してもよい。領域識別データは、圧縮せずに格納してもよいし、ランレングスなどの可逆な圧縮を施しても良い。ノイズ低減部は、領域識別データを参照して、伸張されたキャラクタデータの各画素について、キャラクターの内部か余白部分かを判断し、余白部分を任意に設定された一定色、例えば透明、に置換することによってノイズを除去することができる。この処理過程で、「透明」への置換を行えば、キャラクタデータを他の背景画像に重ね合わせ処理を簡素化できる利点がある。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
円筒のフランジ外周面に切り欠きを有するツールホルダの工作機械の主軸への装着状態を検出するため、
前記フランジ外周面に近接して設けられ、前記主軸の回転に伴い回転する前記フランジ外周面の表面位置の変化を所定周期で検出し、
前記フランジ外周面の表面位置の検出データから、所定の方法で前記切り欠き部分付近のデータ無効期間を決定すると共に決定した前記データ無効期間の補完データを生成し、さらに前記データ無効期間の検出データを前記補完データで置換えて補正検出データを生成し、
前記補正検出データに対して周波数解析を行い、
前記周波数解析結果に基づいて装着状態を判定するツールホルダ装着状態検出方法であって、
前記データ無効期間の決定及び前記補完データの生成は、前記外周面検出手段の検出した前記フランジ外周面の表面位置の検出データを補間処理して、前記所定周期より短い補間周期での補間検出データを算出し、算出した前記補間検出データからを行うことを特徴とするツールホルダ装着状態検出方法。
【請求項２】
円筒のフランジ外周面に切り欠きを有するツールホルダの工作機械の主軸への装着状態を検出するため、
前記フランジ外周面に近接して設けられ、前記主軸の回転に伴い回転する前記フランジ外周面の表面位置の変化を所定周期で検出する外周面検出器と、
前記フランジ外周面の表面位置の検出データから、所定の方法で前記切り欠き部分付近のデータ無効期間を決定すると共に決定した前記データ無効期間の補完データを生成し、前記データ無効期間の検出データを前記補完データで置換えて補正検出データを生成するデータ補正手段と、
前記補正検出データに対して周波数解析を行う周波数解析手段と、
前記周波数解析手段の解析結果に基づいて装着状態を判定する判定手段と、を備えるツールホルダ装着状態検出装置において、
前記データ補正手段は、前記外周面検出手段の検出した前記フランジ外周面の表面位置の検出データを補間処理して、前記所定周期より短い補間周期での補間検出データを算出し、算出した前記補間検出データから前記データ無効期間の決定及び前記補完データの生成を行うことを特徴とするツールホルダ装着状態検出装置。
【請求項３】
円筒のフランジ外周面に切り欠きを有するツールホルダの工作機械の主軸への装着状態を検出するため、
前記フランジ外周面に近接して設けられ、前記主軸の回転に伴い回転する前記フランジ外周面の表面位置の変化を検出する外周面検出器と、
前記フランジ外周面の表面位置の検出データから、所定の方法で前記切り欠き部分付近のデータ無効期間を決定すると共に決定した前記データ無効期間の補完データを生成し、前記データ無効期間の検出データを前記補完データで置換えて補正検出データを生成するデータ補正手段と、
前記補正検出データに対して周波数解析を行う周波数解析手段と、
前記周波数解析手段の解析結果に基づいて装着状態を判定する判定手段と、を備えるツールホルダ装着状態検出装置であって、
前記データ補正手段は、前記ツールホルダの１回転の周期を有し且つ決定した前記データ無効期間に適合する補完正弦波を決定し、決定した前記補完正弦波に基づいて前記補完データを生成することを特徴とするツールホルダ装着状態検出装置。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
インクを収容するインクタンクと、
前記インクタンクからインクを流入するインク流入口と前記インクタンクにインクを戻すインク流出口を有する共通液室と、前記共通液室からインクを吐出するための吐出口にインクを供給する個別液室と、前記個別液室から気体のみを流出させる気液分離膜とを含む記録ヘッドと、
第１インク経路を介して前記インクタンクから前記共通液室にインクを供給するための循環加圧ポンプと、
第２インク経路を介して前記共通液室から前記インクタンクにインクを戻すための循環吸引ポンプと、
前記気液分離膜と連通する前記共通液室に接続されたエア吸引ポンプと、
前記共通液室へのインク供給中に、各ポンプの圧力関係を調整する圧力調整手段と、
を備えることを特徴とするインクジェット記録装置。
【請求項２】
前記循環加圧ポンプの流量Ｐ１と前記循環吸引ポンプの流量Ｐ２と前記エア吸引ポンプの流量Ｐ３との関係がＰ１≧Ｐ２＋Ｐ３であるように前記圧力調整手段にて各ポンプの圧力関係を調整することを特徴とする請求項１に記載されたインクジェット記録装置。
【請求項３】
前記循環加圧ポンプの流量Ｐ１と前記循環吸引ポンプの流量Ｐ２と前記エア吸引ポンプの流量Ｐ３との関係がＰ１-＝Ｐ２＋Ｐ３であるように前記圧力調整手段にて各ポンプの圧力関係を調整することを特徴とする請求項１に記載されたインクジェット記録装置。
【請求項４】
インクを収容するインクタンクと、
前記インクタンクからインクを流入するインク流入口と前記インクタンクにインクを戻すインク流出口を有する共通液室と、前記共通液室からインクを吐出するための吐出口にインクを供給する個別液室と、前記個別液室から気体のみを流出させる気液分離膜とを含む記録ヘッドと、
第１インク経路を介して前記インクタンクから前記共通液室にインクを供給するための循環加圧ポンプと、
前記気液分離膜に接続されたエア吸引ポンプと、を具え、
前記循環加圧ポンプの流量Ｐ１と前記エア吸引ポンプの流量Ｐ３との関係がＰ１＞Ｐ３であることを特徴とするインクジェット記録装置。
【請求項５】
前記記録ヘッドは、フルライン型の記録ヘッドであることを特徴とする請求項１に記載のインクジェット記録装置。
【請求項６】
前記記録ヘッドは、シリアル型の記録ヘッドであることを特徴とする請求項１に記載のインクジェット記録装置。
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
液圧媒体で付勢される液圧ピストンを備え、該液圧ピストンが、その液圧ピストンに作用する締付け力を被締付けボルトの端部に中間要素を介して伝達し、液圧ピストンおよび中間要素がケースで取り囲まれている液圧式締付け装置において、
締付け力を伝達する中間要素（１４）が、その第１端部（１８）で液圧ピストン（１３）にねじ込まれ、第２端部（１９）でボルト（１１）にねじ込まれ、ケース（１５）に、中間要素（１４）の第１端部（１８）に隣接して狭隘部（２１）が、中間要素（１４）の第２端部（１９）に隣接して中間要素（１４）の凹所（２３）に係合する保持ピン（２２）が、各々付設されたことを特徴とする液圧式締付け装置。
【請求項２】
締付け力を伝達する中間要素（１４）が伸びナットとして形成されたことを特徴とする請求項１記載の締付け装置。
【請求項３】
ケース（１５）が、液圧ピストン（１３）と中間要素（１４）とを取り囲むケース部分（１６）と蓋（１７）とを有し、該蓋（１７）が保持ピン（２４）を介してケース部分（１６）に固定されたことを特徴とする請求項１又は２記載の締付け装置。
【請求項４】
ケース（１５）とボルト（１１）で締め付けるべき部品（１２）との間に、ボルト（１１）にねじ込まれたナット（１６）を包囲する加圧部材（２５）が配置されたことを特徴とする請求項１から３の１つに記載の締付け装置。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
賞球ユニットによる遊技球の払い出しを制御する払出制御用マイクロプロセッサが実装された払出制御基板を備えたパチンコ遊技機であって、
前記賞球ユニットには、少なくとも、
電気的駆動源である払出モータと、
回転動作によって遊技球を１球ずつ受け入れて送り出すスプロケットと、
該スプロケットの回転軸に固定され、且つ、外周部分に検出部位が設けられた円盤と、
前記払出モータのモータ軸の回転を前記スプロケットの回転軸に伝達する複数のギヤにより構成されたギヤ群と、
前記円盤の外周部分に設けられた検出部位を検出する回転角スイッチと、
を設け、
前記払出制御用マイクロプロセッサは、
賞球払出指令信号に基づいて前記払出モータを駆動する払出モータ駆動制御手段と、
前記回転角スイッチが前記円盤の外周部分に設けられた検出部位を検出したか否かを判定する検出部位検出判定制御手段と、
該検出部位検出判定制御手段により前記回転角スイッチが前記円盤の外周部分に設けられた検出部位を検出したと判定されると、前記ギヤ群のバックラッシュによる前記スプロケットの逆回転によって前記回転角スイッチの誤検出を防止するために予め設定されているバックラッシュ吸収時間だけ前記払出モータが正回転した前記スプロケットの回転位置を当該スプロケットの定位置に設定するスプロケット定位置設定制御手段と、
該スプロケット定位置設定制御手段により前記予め設定されているバックラッシュ吸収時間だけ前記払出モータが正回転した前記スプロケットの回転位置を当該スプロケットの定位置に設定したあと、遊技球の静電放電によるノイズの影響を防止するために、続けて前記払出モータ駆動制御手段により前記払出モータが駆動されて前記円盤の外周部分に設けられた次位の検出部位が前記回転角スイッチに検出されるまでの期間内の設定時間であって、予め設定されているスプロケット定位置設定無効時間だけ当該スプロケット定位置設定制御手段による設定を無効とするスプロケット定位置設定無効制御手段と、
を備えることを特徴とするパチンコ遊技機。
【請求項２】
請求項１に記載のパチンコ遊技機であって、
前記スプロケット定位置設定制御手段は、前記賞球ユニットによる遊技球の払い出しが終了した際に行われることを特徴とするパチンコ遊技機。
【手続補正２】
【補正対象書類名】明細書
【補正対象項目名】００１８
【補正方法】変更
【補正の内容】
【００１８】
本発明の請求項１においては、ノイズの影響を受けてもスプロケットの回転位置を正しく管理することができる。請求項２においては、球がみが発生していない状態で払出モータのモータ軸の回転を確実に開始することができる。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
記録媒体を個々に識別するための記録媒体識別情報に対応付けて遊技媒体の貸与に使用される残額を管理する管理装置と、前記記録媒体の記録媒体識別情報に対応付けて前記管理装置にて管理されている残額である管理残額を用いて前記遊技媒体を貸与するための第１の貸与処理を行なう貸与処理手段を有し遊技機に対応して設けられる遊技用装置とを備える遊技用システムであって、
前記遊技用装置は、さらに、
前記記録媒体の記録媒体識別情報に対応する管理残額を前記管理装置から取得する管理残額取得手段と、
該管理残額取得手段によって取得された前記管理残額を記憶する残額記憶手段と、
該残額記憶手段に記憶された残額を、前記貸与処理手段による前記貸与処理に用いられる貸与使用額分減算された残額に更新する残額更新手段と、
前記管理装置と通信できる通信可能状態であるか通信できない通信不可能状態であるかを検知する通信可否検知手段とを備え、
前記貸与処理手段は、該通信可否検知手段によって通信不可能状態が検知されたときに前記残額記憶手段に記憶された残額が０でないことを条件として、該残額を使用して前記第１の貸与処理を行ない、
前記遊技用装置は、さらに、
貨幣を受付けて該貨幣の金額を識別する貨幣受付識別手段と、
前記記録媒体の管理残額が０でないことを条件として、該管理残額が０でない旨を示す管理残額有り情報を該記録媒体に記録する管理残額有り情報記録手段とを備え、
前記通信可否検知手段により通信不可能状態が検知されているときに前記貨幣受付識別手段により貨幣が受付けられたことに基づいて、該貨幣受付識別手段により識別された受付貨幣額を用いて遊技媒体を貸与するための第２の貸与処理を前記貸与処理手段により行ない、
前記遊技用装置は、さらに、
前記受付貨幣額のうち前記第２の貸与処理に未使用の入金残額を前記記録媒体に記録する入金残額記録手段と、
前記記録媒体を排出する記録媒体排出手段と、
前記記録媒体に前記管理残額有り情報が記録されているか否かを判定する管理残額有り情報記録判定手段とを備え、
前記貸与処理手段は、前記通信可否検知手段により通信不可能状態が検知されているときに前記入金残額が記録された記録媒体を受付けたことに基づいて、該入金残額を使用して前記遊技媒体を貸与するための入金残額貸与処理を行ない、
前記記録媒体排出手段は、前記管理残額有り情報記録判定手段により前記管理残額有り情報が前記記録媒体に記録されていると判定されたことを条件として、前記入金残額が０である記録媒体を排出することを特徴とする、遊技用システム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
記録媒体を個々に識別可能な記録媒体識別情報に対応付けて遊技媒体の貸与に使用される残額を管理する管理装置と、前記記録媒体の記録媒体識別情報に対応付けて前記管理装置にて管理されている残額である管理残額を用いて前記遊技媒体を貸与するための第１の貸与処理を行なう貸与処理手段を有し遊技機に対応して設けられる遊技用装置と、前記記録媒体の記録媒体識別情報に対応する前記管理残額の精算を行なう精算装置とを備える遊技用システムであって、
前記遊技用装置は、さらに、
貨幣を受付けて該貨幣の金額を識別する貨幣受付識別手段と、
前記記録媒体の記録媒体識別情報に対応する管理残額を前記管理装置から取得する管理残額取得手段と、
該管理残額取得手段によって取得された前記管理残額を記憶する残額記憶手段と、
該残額記憶手段に記憶された残額を、前記貸与処理手段による前記貸与処理に用いられる貸与使用額分減算された残額に更新する残額更新手段と、
前記管理装置と通信できる通信可能状態であるか通信できない通信不可能状態であるかを検知する通信可否検知手段とを備え、
該通信可否検知手段により通信不可能状態が検知されているときに前記貨幣受付識別手段により貨幣が受付けられたことに基づいて、該貨幣受付識別手段により識別された受付貨幣額を用いて遊技媒体を貸与するための第２の貸与処理を前記貸与処理手段により行ない、
前記遊技用装置は、さらに、
前記受付貨幣額のうち前記第２の貸与処理に未使用の入金残額を前記記録媒体に記録する入金残額記録手段と、
前記記録媒体を排出する記録媒体排出手段とを備え、
前記貸与処理手段は、さらに、前記通信可否検知手段によって前記通信不可能状態が検知されたときに前記残額記憶手段に記憶された残額が０でないことを条件として、該残額を使用して前記第１の貸与処理を行ない、
前記精算装置は、前記記録媒体に記録されている前記入金残額の精算を行なうことを特徴とする、遊技用システム。
【請求項２】
記録媒体を個々に識別可能な記録媒体識別情報に対応付けて遊技媒体の貸与に使用される残額を管理する管理装置と、前記記録媒体の記録媒体識別情報に対応付けて前記管理装置にて管理されている残額である管理残額を用いて前記遊技媒体を貸与するための第１の貸与処理を行なう貸与処理手段を有し遊技機に対応して設けられる遊技用装置とを備える遊技用システムであって、
前記遊技用装置は、さらに、
貨幣を受付けて該貨幣の金額を識別する貨幣受付識別手段と、
前記記録媒体の記録媒体識別情報に対応する管理残額を前記管理装置から取得する管理残額取得手段と、
該管理残額取得手段によって取得された前記管理残額を記憶する残額記憶手段と、
該残額記憶手段に記憶された残額を、前記貸与処理手段による前記貸与処理に用いられる貸与使用額分減算された残額に更新する残額更新手段と、
前記管理装置と通信できる通信可能状態であるか通信できない通信不可能状態であるかを検知する通信可否検知手段とを備え、
該通信可否検知手段により通信不可能状態が検知されているときに前記貨幣受付識別手段により貨幣が受付けられたことに基づいて、該貨幣受付識別手段により識別された受付貨幣額を用いて遊技媒体を貸与するための第２の貸与処理を前記貸与処理手段により行ない、
前記遊技用装置は、さらに、
前記受付貨幣額のうち前記第２の貸与処理に未使用の入金残額を前記記録媒体に記録する入金残額記録手段と、
前記記録媒体を排出する記録媒体排出手段とを備え、
前記貸与処理手段は、さらに、前記通信可否検知手段によって前記通信不可能状態が検知されたときに前記残額記憶手段に記憶された残額が０でないことを条件として、該残額を使用して前記第１の貸与処理を行ない、
前記遊技用装置は、さらに、
前記通信可否検知手段により通信可能状態を検知しているときに、受付けた記録媒体に記録されている記録媒体識別情報と入金残額とを含む入金残額加算更新要求を前記管理装置に対して送信する入金残額加算更新要求送信手段を備え、
前記管理装置は、さらに、
前記入金残額加算更新要求送信手段から送信されてきた入金残額加算更新要求に含まれる記録媒体識別情報に対応付けて管理している残額に対して該入金残額加算更新要求に含まれる入金残額を加算更新するための入金残額加算更新処理を行なう入金残額加算更新処理手段と、
前記入金残額加算更新処理が完了した旨を示す入金残額加算完了通知を前記遊技用装置に対して返信する入金残額加算完了通知返信手段とを備え、
前記遊技用装置は、さらに、
前記入金残額加算完了通知返信手段から返信されてきた入金残額加算完了通知を受信したことを条件として、前記記録媒体に記録されている入金残額を消去する入金残額消去処理を行なう入金残額消去処理手段を備えることを特徴とする、遊技用システム。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正書】
【提出日】平成21年9月28日(2009.9.28)
【手続補正１】
【補正対象書類名】明細書
【補正対象項目名】００２２
【補正方法】変更
【補正の内容】
【００２２】
棒軸４はその先端に開口する先端腔部４４を有し、先端腔部４４に砲弾状の塗布具５の基端部が嵌合し固着される。
【手続補正２】
【補正対象書類名】明細書
【補正対象項目名】００５２
【補正方法】変更
【補正の内容】
【００５２】
１・・・・化粧材塗布具容器
２・・・・容器本体
３・・・・キャップ
４・・・・棒軸
５・・・・塗布具
６・・・・内筒
７・・・・スプリング
８・・・・尾栓
９・・・・Ｏリング
２０・・・外筒
２１・・・前部開口孔
２２・・・縦溝
２２ａ・・下向き段部
２２ｂ・・テーパ状後端開口部
２３・・・内周面
２４・・・雄ねじ部
２５・・・嵌合凹部
２６・・・後部開口孔
２７・・・ガイド内周面
２８・・・内周面
３０・・・キャップ外筒
３１・・・ローレットリブ
３２・・・嵌合凹部
３３・・・雌ねじ部
３４・・・腔部
４１・・・縦リブ
４２・・・凸部
４３・・・Ｏリング溝
４４・・・腔部
６１・・・腔部
６２・・・係合突起
６２ａ・・頂部
６２ｂ・・テーパ状前端部
６３・・・後端
６７・・・外周面
７１・・・前端部
７２・・・後端部
８１・・・嵌合凸部
８２・・・底面
Ａ・・・・化粧材
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
遊技装置と、電源基板と、制御基板を備え、
前記電源基板には、第１の電圧を有する第１の電源を出力する電源装置が設けられ、
前記制御基板には、前記遊技装置を制御する制御回路と、電圧変換装置が設けられており、
前記電圧変換装置は、前記制御基板に入力される第１の電圧を有する第１の電源を第２の電圧（第２の電圧＜第１の電圧）を有する第２の電源に変換して出力する第１の電圧変換回路と、前記第１の電圧変換回路から出力される第２の電圧を有する第２の電源を第３の電圧（第３の電圧＜第２の電圧）を有する第３の電源に変換して出力する第２の電圧変換回路を有しており、
前記第１の電圧変換回路としてスイッチングレギュレータが用いられ、前記第２の電圧変換回路としてアナログレギュレータが用いられていることを特徴とする遊技機。
【請求項２】
請求項１に記載の遊技機であって、前記電圧変換装置は、前記制御基板に入力される第１の電圧を有する第１の電源を第４の電圧（第４の電圧＜第３の電圧）を有する第４の電源に変換して出力する第３の電圧変換回路を有しており、前記第３の電圧変換回路としてスイッチングレギュレータが用いられていることを特徴とする遊技機。
【請求項３】
請求項２に記載の遊技機であって、前記電圧変換装置は、前記第３の電圧変換回路から第４の電圧を有する第４の電源が出力された後に前記第１の電圧変換回路から第２の電圧を有する第２の電源を出力させる始動回路を有していることを特徴とする遊技機。
【手続補正２】
【補正対象書類名】明細書
【補正対象項目名】０００５
【補正方法】変更
【補正の内容】
【０００５】
第１発明は、請求項１に記載されている遊技機である。
請求項１に記載の遊技機は、
遊技装置と、電源基板と、制御基板を備え、
前記電源基板には、第１の電圧を有する第１の電源を出力する電源装置が設けられ、
前記制御基板には、前記遊技装置を制御する制御回路と、電圧変換装置が設けられており、
前記電圧変換装置は、前記制御基板に入力される第１の電圧を有する第１の電源を第２の電圧（第２の電圧＜第１の電圧）を有する第２の電源に変換して出力する第１の電圧変換回路と、前記第１の電圧変換回路から出力される第２の電圧を有する第２の電源を第３の電圧（第３の電圧＜第２の電圧）を有する第３の電源に変換して出力する第２の電圧変換回路を有しており、
前記第１の電圧変換回路としてスイッチングレギュレータが用いられ、前記第２の電圧変換回路としてアナログレギュレータが用いられていることを特徴とする。
本発明の遊技機には、パチンコ機やスロットマシン等の種々の遊技機が包含される。
遊技装置は、遊技者の遊技に応じて制御される装置を意味する。遊技機に設けられる遊技装置は、遊技機の種類や機種等に応じた決定される。例えば、パチンコ機では、演出用の装飾図柄等を含む画像を表示する液晶表示装置（装飾図柄表示装置）、演出用の光を発生するＬＥＤ等のランプ、演出用の音を発生するスピーカ、大入賞口を開閉する大入賞口開閉部材、遊技球を払い出す払出装置等が用いられる。
電源装置は、例えば、公知のＡＣ−ＤＣ変換回路により構成され、ＡＣ２４Ｖ電源をＤＣ３４Ｖ電源に変換し、第１の電圧を有する第１の電源として出力する。
第１〜第３の電圧は、（第３の電圧＜第２の電圧＜第１の電圧）を満足するように設定されている。例えば、第１の電圧を有する第１の電源としてＤＣ１２Ｖ電源が用いられ、第２の電圧を有する第２の電源としてＤＣ３．３Ｖ電源が用いられ、第３の電圧を有する第３の電源としてＤＣ２．５Ｖ電源が用いられる。なお、第１〜第３の電圧を有する第１〜第３の電源は、概略第１〜第３の電圧を有している電源を意味する。
スイッチングレギュレータは、スイッチング素子を高速でオン／オフすることによって入力電源をパルス電源に変換するとともに、出力電源の電圧が設定電圧となるようにパルス電源のパルス幅を制御するレギュレータを意味する。アナログレギュレータは、出力電源の電圧が設定値となるようにスイッチング素子を連続制御するレギュレータを意味する。アナログレギュレータは、３端子レギュレータやシリーズレギュレータと呼ばれることもある。
電圧変換装置は、典型的には、集積回路を含む電源モジュールとして形成される。集積回路としては、一般的には、ハイブリッド集積回路が用いられる。勿論、モノシリック集積回路を用いることもできる。
請求項１に記載の遊技機では、第３の電圧を有する第３の電源を生成するための第２の電圧変換回路としてアナログレギュレータを用いることにより、安価に構成することができる。また、本発明では、アナログレギュレータは、第２の電圧を有する第２の電源を第３の電圧を有する第３の電源に変換すればよいため、第１の電圧を有する第１の電源を第３の電圧を有する第３の電源に変換する場合に比べて電力損失、すなわち、発熱量を軽減することができる。これにより、アナログレギュレータの温度上昇を抑制するための、取り付けスペースを必要とする放熱装置（放熱フィンや放熱ファン等）を設ける必要がなくなり、小型の制御基板を用いることができる。
第２発明は、請求項２に記載されている遊技機である。
請求項２に記載の遊技機は、請求項１に記載の遊技機であって、前記電圧変換装置は、前記制御基板に入力される第１の電圧を有する第１の電源を第４の電圧（第４の電圧＜第３の電圧）を有する第４の電源に変換して出力する第３の電圧変換回路を有しており、前記第３の電圧変換回路としてスイッチングレギュレータが用いられていることを特徴とする。
請求項２に記載の遊技機では、第２の電圧を有する第２の電源、第３の電圧を有する第３の電源、第４の電圧を有する第４の電源を生成する電圧変換装置を、温度上昇や制御基板の大型化を抑制しながら制御基板に設けることができる。
第３発明は、請求項３に記載されている遊技機である。
請求項３に記載の遊技機は、請求項２に記載の遊技機であって、前記電圧変換装置は、前記第３の電圧変換回路から第４の電圧を有する第４の電源が出力された後に前記第１の電圧変換回路から第２の電圧を有する第２の電源を出力させる始動回路を有していることを特徴とする。
始動回路としては、例えば、第４の電源の電圧が最小値に達してから設定期間経過後に始動信号を出力するタイマーが用いられる。
請求項３に記載の遊技機では、簡単な構成で、第４の電源が出力された後に第２の電源の出力を開始させることができる。
【手続補正３】
【補正対象書類名】明細書
【補正対象項目名】０００６
【補正方法】変更
【補正の内容】
【０００６】
請求項１〜３に記載の遊技機を用いることにより、複数の電源を生成する電圧変換装置を、温度上昇及び制御基板の大型化を抑制しながら制御基板に配設することができる。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、払出条件が成立したことにもとづいて遊技媒体を遊技者に払い出し、所定の報知を行うために用いられる電気部品を備えた遊技機であって、
遊技の進行を制御する遊技制御処理を実行する遊技制御手段が搭載された遊技制御基板と、
前記遊技媒体の払い出しを行う払出手段と、
前記払出手段を制御する払出制御処理を実行する払出制御手段が搭載された払出制御基板と、
前記電気部品を制御する演出制御手段が搭載された演出制御基板とを備え、
前記払出制御基板に、遊技媒体の払い出しに関するエラー状態を含む遊技機の状態に関する複数種類の情報のそれぞれに対応する状態検出信号を前記遊技制御基板に対して出力する状態通知手段が設けられ、
前記遊技機の状態に関する複数種類の情報のそれぞれに対応する状態検出信号は、前記遊技制御基板において一時にアクセス可能な入力ポート部に入力され、
前記遊技制御手段は、前記入力ポート部に入力される複数の前記状態検出信号のうちのいずれか１つ以上の状態が変化したか否かを判定する状態検出信号判定手段と、
前記状態検出信号判定手段が複数の前記状態検出信号のうちのいずれか１つ以上の状態が変化したと判定したときに、前記入力ポート部に入力されている複数の前記状態検出信号の状態を一括してコマンドとして送信する入力ポートデータ送信手段を含み、
前記演出制御手段は、前記入力ポートデータ送信手段が送信した前記コマンドにもとづいて遊技機の状態に関する複数種類の情報のいずれの状態が変化したかを判定する入力ポートデータ判定手段と、
前記入力ポートデータ判定手段が判定した遊技機の状態に関する情報に対応する報知を前記電気部品に行わせる報知制御手段とを含む
ことを特徴とする遊技機。
【請求項２】
各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
遊技制御基板に、
所定の数値を更新する数値更新処理を実行する数値更新手段と、
前記数値更新手段による数値更新処理に異常が生じたときに更新エラー信号を出力する更新異常出力手段とが設けられ、
遊技制御手段は、
所定の時期に前記数値更新手段が更新する数値を抽出する数値抽出手段と、
前記数値抽出手段が抽出した数値にもとづいて前記特定遊技状態に移行させるか否かを決定する特定遊技状態決定手段とを含み、
前記更新エラー信号は、状態検出信号が入力される入力ポート部に入力される
請求項１記載の遊技機。
【請求項３】
状態検出信号判定手段は、
入力ポート部に入力される複数の状態検出信号の状態を示すデータを保存するデータ保存手段と、
新たに入力した複数の前記状態検出信号の状態と前記データ保存手段に保存されているデータとのビット毎の排他的論理和をとって、排他的論理和の演算結果にもとづいて前記状態検出信号のうちのいずれか１つ以上の状態が変化したか否かを判定するデータ変化判定手段とを含み、
前記データ変化判定手段が前記状態検出信号のうちのいずれか１つ以上の状態が変化したと判定したときに、前記データ保存手段の内容を、前記新たに入力した複数の前記状態検出信号の状態を示すデータに更新する
請求項１または請求項２記載の遊技機。
【手続補正２】
【補正対象書類名】明細書
【補正対象項目名】００１２
【補正方法】変更
【補正の内容】
【００１２】
各々を識別可能な複数種類の識別情報の可変表示を行い表示結果を導出表示する可変表示装置（例えば、特別図柄表示器９および可変表示装置９）を備え、可変表示装置に特定表示結果（例えば、大当り図柄）が導出表示されたときに遊技者にとって有利な特定遊技状態（例えば、大当り遊技状態）に移行させる遊技機であって、遊技制御基板に、所定の数値を更新する数値更新処理を実行する数値更新手段（例えば、乱数回路５０３）と、数値更新手段による数値更新処理に異常が生じたときに更新エラー信号（例えば、乱数エラー信号）を出力する更新異常出力手段（例えば、監視回路５０４）とが設けられ、遊技制御手段は、所定の時期（例えば、始動入賞が生じたとき）に数値更新手段が更新する数値を抽出する数値抽出手段（例えば、遊技制御用マイクロコンピュータ５６０においてステップＳ２１３の処理を実行する部分）と、数値抽出手段が抽出した数値にもとづいて特定遊技状態に移行させるか否かを決定する特定遊技状態決定手段（例えば、遊技制御用マイクロコンピュータ５６０においてステップＳ６２，Ｓ６３の処理を実行する部分）とを含み、更新エラー信号は、状態検出信号が入力される入力ポート部に入力される（図１１参照）ように構成されていてもよい。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
請求項３記載の発明では、データ変化判定手段は、新たに入力した複数の状態検出信号の状態とデータ保存手段に保存されているデータとのビット毎の排他的論理和をとって、排他的論理和の演算結果にもとづいて状態検出信号のうちのいずれか１つ以上の状態が変化したか否かを判定し、データ変化判定手段が状態検出信号のうちのいずれか１つ以上の状態が変化したと判定したときに、データ保存手段の内容を、新たに入力した複数の状態検出信号の状態を示すデータに更新するように構成されているので、データ保存手段は入力データのうちのいずれか１つ以上の状態が変化したときにのみ更新されることになり、遊技制御手段の制御負担を低減できる。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
遊技機であって、
遊技中に演出表示を行うための表示パネルと、
前記演出表示を制御するためのコマンドを出力するサブ制御基板と、
前記サブ制御基板とコネクタで接続されるとともに、前記コマンドを受けて、前記表示パネルに前記演出表示を行う表示制御基板とを有し、
前記サブ制御基板と表示制御基板とは、レセプタクルとプラグからなり、２つの基板同士を電気的に接続するためのコネクタによって接続されており、
前記プラグは、
前記レセプタクルと電気的に接続するプラグ端子部と、
前記プラグ端子部の両側に、所定の間隙を設けて形成された側壁と、
前記側壁の外側に形成され、所定のハーネス接続用のコネクタに設けられたロック爪が係止する突起部とを有し、
前記レセプタクルは、
前記プラグ端子部と電気的に接続するレセプタクル端子部と、
前記レセプタクル端子部の両側に、所定の間隙を設けて形成された側壁とを有し、
該側壁は、前記プラグとの接続時に、前記プラグの突起部を外側から支持する位置に形成されている
遊技機。
【請求項２】
請求項１記載の遊技機であって、
前記プラグは、前記サブ制御基板に取り付けられている遊技機。
【請求項３】
請求項１または請求項２記載の遊技機であって、
両端にハーネス接続用のコネクタを有するハーネスと、
一端に前記レセプタクルと接続可能な第１の変換用プラグ、他端に前記ハーネス接続用のコネクタに接続可能な第２の変換用プラグを備える変換器とを有し、
前記サブ制御基板および表示制御基板の一方には前記プラグ、他方には前記レセプタクルが取り付けられており、
前記レセプタクルには、前記変換器を経て前記ハーネスの一端が接続されるとともに、該ハーネスの他端に前記プラグが接続されることによって、前記サブ制御基板と表示制御基板とが前記ハーネスを介して電気的に接続されている遊技機。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
所定の装置を制御する制御装置であって、
他の制御基板に制御コマンドを出力する上位制御基板と、
前記制御コマンドに応じて動作する下位制御基板と、
前記上位制御基板と下位制御基板とを電気的に接続するコネクタとを有し、
前記下位制御基板は、外部電源の電圧を変更して前記上位制御基板および下位制御基板を駆動する電源電圧を生成する電源回路を備え、
前記上位制御基板は、前記電源回路で生成された電源電圧を前記コネクタを介して受けて動作する制御装置。
【請求項２】
請求項１記載の制御装置であって、
前記外部電源は、前記上位制御基板から前記コネクタを介して前記下位制御基板に供給される制御装置。
【請求項３】
請求項１または２記載の制御装置であって、
前記所定の装置は、演出表示を行うための表示パネルを備え、
前記上位制御基板は、前記演出表示の制御コマンドを出力し、
前記下位制御基板は、前記制御コマンドを受けて、前記表示パネルに演出表示を行う制御装置。
【請求項４】
請求項１〜３いずれか記載の制御装置を搭載した遊技機。